(57)【要約】      （修正有）【課題】トランジションピースの断面積の収束縮小および選択のための装置、方法、およびシステムを提供する。【解決手段】一実施形態では、トランジションピース１００の後端断面積および前端断面積が求められる。トランジションピース１００は、後端と前端の間の断面積の変化の傾斜が一定であることに基づいて製作されてよい。トランジションピース１００が、トランジションピース１００の長手方向に沿った断面積の一定の傾斜の±３％以内にあることができる。【選択図】図１
2013221736.tif 000002
【特許請求の範囲】
【請求項１】
トランジションピースの後端断面積を求めるステップと、
前記トランジションピースの前端断面積を求めるステップと、
前記後端と前記前端の間の断面積の変化の傾斜が一定であることに基づいて前記トランジションピースを製作するステップとを含む方法。
【請求項２】
前記トランジションピースが、前記トランジションピースの長手方向に沿った断面積の一定の傾斜の±３％以内にある請求項１記載の方法。
【請求項３】
前記トランジションピースが、前記トランジションピースの長手方向に沿った断面積の一定の傾斜から平均±３％以内にある請求項１記載の方法。
【請求項４】
前記製作されたトランジションピースが、断面積の一定の傾斜の±３％以内にある請求項１記載の方法。
【請求項５】
前記前端断面積が、燃焼器ライナと前記トランジションピースの付着点の近くで得られる請求項１記載の方法。
【請求項６】
前記前端断面積が、前記後端断面積に基づくものである請求項１記載の方法。
【請求項７】
前記後端断面積が後部フレームの近くで得られる請求項１記載の方法。
【請求項８】
トランジションピースの長手方向に沿って傾斜が一定の断面積から±３％以内に保たれた断面積を備えるトランジションピースであって、前記傾斜が一定の断面積が、それぞれの長さにおける、後端断面積の測定値および対応する前端断面積の測定値に基づくものであるトランジションピース。
【請求項９】
前記トランジションピースが、前記トランジションピースの長手方向に沿った断面積の一定の傾斜の±３％以内にある請求項８記載のトランジションピース。
【請求項１０】
前記トランジションピースが、前記トランジションピースの長手方向に沿った断面積の一定の傾斜から平均±３％以内にある請求項８記載のトランジションピース。
【請求項１１】
前記製作されたトランジションピースが、前記トランジションピースの長手方向の１／１０刻みで、断面積の一定の傾斜の±３％以内にある請求項８記載のトランジションピース。
【請求項１２】
前記前端断面積が、燃焼器ライナと前記トランジションピースの付着点の近くで得られる請求項８記載のトランジションピース。
【請求項１３】
前記後端断面積が、後部フレームとステージ１ノズルの付着点の近くで得られる請求項８記載のトランジションピース。
【請求項１４】
前記後端断面積が後部フレームの近くで得られる請求項８記載のトランジションピース。
【請求項１５】
コンピュータ可読命令を実行するように適合された第１のプロセッサと、
前記第１のプロセッサに通信可能に結合された第１のメモリと
を備え、
前記前記第１のメモリの中には、前記第１のプロセッサによって実行されたとき、前記プロセッサに、
トランジションピースの後端断面積を求めるステップと、
前記トランジションピースの前記後端断面積に基づいて前端断面積を求めるステップと、
前記後端と前記前端の間の断面積の変化の一定の傾斜を求めるステップと、
前記断面積の一定の傾斜に基づいて前記トランジションピースを製作するステップとを含む動作を実行させるコンピュータ可読命令が記憶されている
システム。
【請求項１６】
前記トランジションピースが、前記トランジションピースの長手方向に沿った断面積の一定の傾斜の±３％以内にある請求項１５記載のシステム。
【請求項１７】
前記トランジションピースが、前記トランジションピースの長手方向に沿った断面積の一定の傾斜から平均±３％以内にある請求項１５記載のシステム。
【請求項１８】
前記前端断面積が、燃焼器ライナと前記トランジションピースの付着点の近くで得られる請求項１５記載のシステム。
【請求項１９】
前記後端断面積が後部フレームの近くで得られる請求項１５記載のシステム。
【請求項２０】
コンピュータ可読命令に、前記トランジションピースの断面積の測定値を、前記トランジションピースの前記全長の１／１０刻みで得るステップが含まれている請求項１５記載のシステム。
【発明の詳細な説明】
【技術分野】
【０００１】
本明細書に開示される主題は、一般に燃焼システムに関し、より具体的には高温のガス流れに関する。
【背景技術】
【０００２】
一般的な環状多筒形ガスタービンエンジンでは、複数の燃焼器が、エンジンのまわりで全体的に環状の配列に配置されている。燃焼器は、エンジンの圧縮機から圧搾空気を受け取り、燃料を付加して燃料と空気の混合物を生成し、混合物を燃焼させ、熱ガスを生成する。燃焼器を出る熱ガスは、タービンを回転させるのに利用され、タービンは、電力を生成するために、発電機を駆動するシャフトに結合されている。
【０００３】
高温の燃焼ガスは、トランジションピースまたはダクトによって燃焼器ライナからタービンへ運ばれる。トランジションピースを通って流れる高温の燃焼ガスにより、ダクト構造体が非常に高い温度にさらされて劣化が早まる可能性があり、そのことでトランジションダクトの修理および交換が必要になる。そうでなければ比較的無傷であるトランジションピースの単一領域の顕著な亀裂または他の劣化により、ガスタービンの性能に顕著な影響が及ぶ可能性があり、全体のトランジションピースの交換が必要になることもある。
【発明の概要】
【課題を解決するための手段】
【０００４】
本明細書には、トランジションピースの断面積の収束縮小および選択のための装置、方法、およびシステムが開示される。一実施形態では、方法により、トランジションピースの後端断面積および前端断面積が求められる。トランジションピースは、後端と前端の間の断面積の変化の傾斜が一定であることに基づいて製作されてよい。
【０００５】
一実施形態では、システムは、第１のプロセッサおよび第１のメモリを有する。第１のメモリは、第１のプロセッサに通信可能に結合されてよく、前記第１のメモリは、コンピュータ可読命令を記憶しており、第１のプロセッサが、これを実行すると、プロセッサにトランジションピースの後端断面積を求めるステップと、トランジションピースの後端断面積に基づいて前端断面積を求めるステップと、後端と前端の間の断面積の変化の一定の傾斜を求めるステップと、断面積の一定の傾斜に基づいてトランジションピースを製作するステップとを含む動作させる。
【０００６】
一実施形態では、トランジションピースは、トランジションピースの長手方向に沿って断面積を有し、傾斜が一定の断面積から±３％以内に保たれ、傾斜が一定の断面積は、それぞれの長さにおける、後端断面積の測定値および対応する前端断面積の測定値に基づくものである。
【０００７】
本発明のこの簡単な説明は、以下で、詳細な説明においてさらに説明される簡易化された形での概念の選択を導入するために提供される。本発明のこの簡単な説明は、特許請求される主題の主要な特徴または基本的な特徴を識別したり、特許請求される主題の範囲を限定するのに使用するように意図されたものではない。さらに、特許請求される主題は、本開示のいずれかの部分で示される不利益のいずれかまたはすべてを解決する制限に限定されるものではない。
【０００８】
添付図面とともに実例として示される以下の説明から、より詳細な理解が得られるであろう。
【図面の簡単な説明】
【０００９】
【図１】トランジションピースの例示の図である。
【図２】トランジションピースの例示の図である。
【図３】トランジションピースの後端から前端への断面積の変化を示す例示のグラフである。
【図４】本明細書に開示されるトランジションピースの断面積の収束を実施している限定的でない例示的方法を示す図である。
【図５】本明細書に開示される方法およびシステムの態様が組み込まれ得る汎用コンピュータシステムを表す例示的ブロック図である。
【発明を実施するための形態】
【００１０】
図１は、トランジションピース１００の例示的説明である。トランジションピース１００は、前端（入口）１０５および終端（出口）１１０を有する。熱ガスは、入口１０５に流れ込み、トランジションピース１００の全長を通って流れる。熱ガスは、出口１１０でトランジションピース１００を出る。
【００１１】
トランジションピースの寿命を制限する領域は、トランジションピースの他の領域よりしばしば高温になることが示されている。より高温であると、タービンの始動から停止のすべてのサイクルに対して、より大きな歪み範囲が生じる可能性がある。これらの歪みサイクルが長時間にわたって蓄積されて、トランジションピースの寿命限界になり得る。より高温であると、トランジションピース材料の酸化の原因にもなり得る。この酸化が長時間にわたって蓄積されて、トランジションピースの寿命限界になり得る。本明細書で明示されたように、トランジションピースの特定の領域に顕著な損傷（例えば亀裂）が生じると、トランジションピースの他の部分がそれほど損害を受けていなくても、全体のトランジションピースは交換される。
【００１２】
前端および後端に、トランジションピースの特定のそれぞれの断面積がある。従来、経験則として、トランジションピースの前端は、トランジションピースの出口（すなわち後端）より断面積が１５％大きい。１５％の経験則は、トランジションピース内の再循環を低減するために、トランジションピースに対して用いられる。図２は、トランジションピース２００の例示的説明である。入口断面積は２０５で得られてよく、出口断面積は２１０で得られてよい。従来、２０５での入口断面積を２１０での出口断面積と比較したときの縮小する割合が、１５％の経験則に従うことになる。従来、中間区分２１５の断面積は、最終的な１５％の経験則に到達するまでに実質的に逸脱している。
【００１３】
トランジションピースの中間区分の範囲内の領域が末広がりであり得て、再循環ゾーンが生じる可能性があるため、トランジションピースの中にホットスポットが生成されることが解析によって示されている。本明細書に開示されるように、末広がりではなく一定にすることによる前端から後端へのトランジションピースの断面積の縮小により、ホットスポットが実質的に低減され得る。一実施形態では、断面積収束の量を１５％の経験則から低減する（例えば後端断面積を前端断面積より６％小さくする）かつ／または、せいぜい±３％の許容範囲内に保つと、トランジションピースの寿命が増加し得る。
【００１４】
図３は、トランジションピースの後端から前端への断面積の変化を示す例示のグラフである。ｙ軸３０２はトランジションピースの断面積を示し、ｘ軸３０３は後端から前端へのトランジションピースの長さを示す。線３０５は一定の傾斜を有するラインであり、断面積は、後端から前端へと長手方向に沿って一定の割合で変化する。理想線または基準線３０５（以下基準線）は、一旦後端断面積および前端断面積ならびに全長が求められると、標準的な代数式などを用いて求められ得る。曲線３１０は、トランジションピースの長手方向に沿った、論じられた±３％の範囲から外れた曲線である。例えば、ポイント３１１は、曲線３１０によって表されるトランジションピースが、長さ１５において２０８の近似断面積を有し、基準線３０５によって表されるトランジションピースが、長さ１５において１８８の近似断面積を有することを示す。前述の測定値を用いると、曲線３１０のポイント３１１は、基準線３０５の同じ長さにおいておおよそ１０パーセントだけ逸脱している。
【００１５】
曲線３１５は、トランジションピースの長手方向に沿って、論じられた±３％の範囲内にある曲線である。例えば、ポイント３１６は、曲線３１５によって表されるトランジションピースが、長さ１５において１９２の近似断面積を有し、線３０５によって表されるトランジションピースが、長さ１５において１８８の近似断面積を有することを示す。前述の測定値を用いると、ポイント３１６は、基準線３０５からおおよそ２．１％だけ逸脱している。
【００１６】
トランジションピースの、コンピュータで生成された発現または物理的発現は、所定の計算された一定の変化の断面積基準線に基づいて生成されてよい。物理的発現の一例は、断面積の±３％の逸脱を有する基準線に準拠する物理的トランジションピースの型でよい。断面積の測定値は、全体のトランジションピースの長さの１／１０の間隔ごとに得られてよい。トランジションピースを作製するとき、より多くのデータポイントおよびより優れた結果のために、より多くの測定値を得てよい。
【００１７】
図４は、本明細書に開示されるようなトランジションピースの断面積の収束を実施している限定的でない例示的方法を示す図である。方法４００は、モバイルデバイス（例えばタブレット型コンピュータ）、サーバ、または計算機能を実行することができる任意のその他のデバイスを含む計算装置によって遂行されてよい。
【００１８】
一実施形態では、ブロック４０５で、トランジションピースの後端の形状および断面積が求められてよい。後端断面積の割出しは、対応するステージ１ノズル（Ｓ１Ｎ）の特性に基づいて行なわれてよい。ブロック４１０で、トランジションピースの前端の形状および断面積が求められてよい。前端断面積は、後端断面積に基づくものでよい。ブロック４１５で、トランジションピースの後端と前端の間の長さに沿った断面積変化の一定の傾斜が求められてよい。ブロック４２０で、断面積の一定の傾斜および±３％の許容レベルの範囲内にとどまるということに基づいて、トランジションピースが作製されてよい。
【００１９】
実験により、断面積変化が一定の基準線から、断面積が確実に±３％の範囲内に入るように注意すれば、ホットスポットが低減され得て、トランジションピースの寿命が延びる可能性があることが示されている。後端と前端の断面積変化に関する１５％の経験則が本明細書に論じられているが、他の割合が適切なこともある。実験により、トランジションピースの長手方向に沿った断面積の偏差が±３％以内であれば、トランジションピースの寿命における、より優れた結果を伴って、１５％の経験則が（例えば５％へと）低減され得ることが示されている。断面積の偏差が０％により近ければ、より優れた結果がもたらされるのと同時に、前端から後端へと断面積を縮小する必要性がより低下し得て、１５％の経験則も０％に向かい得る。
【００２０】
この方法の技術的効果には、タービンシステムにおける、トランジションピースの物理的発現（例えば金属）またはコンピュータで生成されたトランジションピースの表現の製造がある。トランジションピースの試験は、試験装置、トランジションピースおよび対応するコンピュータ解析のコンピュータ仕様などとともに物理的トランジションピースを使用して行なわれてよい。試験は、１つまたは複数の発電機モデル向けに作成されたトランジションピースなど、特定のトランジションピースの設計に対して行なわれてよく、物理的形態またはデジタル形式で実施される。測定値は前端および後端において取得されたものと説明されているが、いずれかの終端の近似領域の範囲内の測定値を採用するのも適切である。
【００２１】
図５および以下の議論は、本明細書で開示された方法およびシステムならびに／あるいはその一部分が実施され得る適切なコンピュータ環境の簡単な概要を提供するように意図されている。必須のことではないが、本明細書に開示された方法およびシステムは、クライアントワークステーション、サーバまたはパーソナルコンピュータなどのコンピュータによって実行されるプログラムモジュールなど、コンピュータ実行可能な命令の一般的状況で説明され得る。一般に、プログラムモジュールには、特定のタスクを遂行する、または特定の抽象データタイプを実施する、ルーチン、プログラム、オブジェクト、コンポーネント、データ構造などが含まれる。そのうえ、本明細書および／またはその一部分で開示された方法およびシステムは、ハンドヘルドデバイス、マルチプロセッサシステム、マイクロプロセッサベースの家庭用電化製品またはプログラム可能な家庭用電化製品、ネットワークＰＣ、ミニコンピュータ、メインフレームコンピュータなどを含む他のコンピュータシステム構成を用いて実施され得ることを理解されたい。本明細書に開示された方法およびシステムは、通信ネットワークを介してリンクされたリモート処理デバイスによって各タスクが遂行される分散コンピューティング環境で実施されてもよい。分散コンピューティング環境では、プログラムモジュールは、ローカルおよび遠隔のメモリ記憶デバイスの両方に配置されてよい。
【００２２】
図５は、本明細書および／またはその一部分に開示された方法およびシステムの態様が組み込まれ得る汎用コンピュータシステムを表すブロック図である。示されるように、例示的汎用コンピューティングシステムには、処理ユニット５２１、システムメモリ５２２、およびシステムメモリを含むさまざまなシステム構成要素を処理ユニット５２１に結合するシステムバス５２３を含むコンピュータ５２０または同様のものが含まれる。システムバス５２３は、メモリバスまたはメモリコントローラ、周辺バス、およびさまざまなバス構造のうち任意のものを使用するローカルバスを含む、いくつかのタイプのバス構造の任意のものでよい。システムメモリは、読出し専用メモリ（ＲＯＭ）５２４およびランダムアクセスメモリ（ＲＡＭ）５２５を含む。起動中など、コンピュータ５２０の内部要素間の情報を伝達するのを支援する基本的ルーチンを含んでいる基本入出力システム５２６（ＢＩＯＳ）は、ＲＯＭ  ５２４に記憶されている。
【００２３】
コンピュータ５２０は、ハードディスク（図示せず）からの読み取りまたは書き込みのためのハードディスクドライブ５２７と、取外し可能な磁気ディスク５２９からの読み取りまたは書き込みのため磁気ディスクドライブ５２８と、ＣＤ−ＲＯＭまたは他の光媒体など取外し可能な光ディスク５３１に対するからの読み取りまたは書き込みのため光ディスクドライブ５３０とをさらに含んでよい。ハードディスクドライブ５２７、磁気ディスクドライブ５２８および光ディスクドライブ５３０は、ハードディスクドライブインターフェース５３２、磁気ディスクドライブインターフェース５３３およびオプティカルドライブインターフェース５３４によってシステムバス５２３にそれぞれ接続される。それらのドライブおよび関連するコンピュータ可読媒体は、コンピュータ５２０向けに、コンピュータ可読命令、データ構造、プログラムモジュール、および他のデータの不揮発性記憶装置をもたらす。
【００２４】
本明細書で説明される例示的環境は、ハードディスク、取外し可能な磁気ディスク５２９、および取外し可能な光ディスク５３１を使用するが、コンピュータによるアクセスが可能なデータを記憶することができる他のタイプのコンピュータ読取り可能媒体も、例示的動作環境において使用され得ることを理解されたい。このような他のタイプの媒体は、磁気カセット、フラッシュメモリカード、デジタルビデオまたは多用途ディスク、ベルヌーイカートリッジ、ランダムアクセスメモリ（ＲＡＭ）、読出し専用メモリ（ＲＯＭ）などを含むが、これらに限定されるわけではない。
【００２５】
オペレーティングシステム５３５、１つまたは複数のアプリケーションプログラム５３６、他のプログラムモジュール５３７およびプログラムデータ５３８を含む多数のプログラムモジュールが、ハードディスク、磁気ディスク５２９、光ディスク５３１、ＲＯＭ  ５２４またはＲＡＭ  ５２５上に記憶されてよい。ユーザは、キーボード５４０などの入力デバイスおよびポインティングデバイス５４２を介して、コンピュータ５２０にコマンドおよび情報を入力してよい。他の入力デバイス（図示せず）には、マイクロホン、ジョイスティック、ゲームパッド、サテライトディスク、スキャナなどが含まれ得る。これらおよび他の入力デバイスは、システムバス６１３に結合されたシリアルポートインターフェース５４６を介して処理ユニット５２１に接続されることが多いが、パラレルポート、ゲームポート、またはユニバーサルシリアルバス（ＵＳＢ）など他のインターフェースによって接続されてもよい。モニタ５４７または他のタイプの表示デバイスも、ビデオアダプタ５４８などのインターフェースを介してシステムバス５２３に接続される。コンピュータは、モニタ５４７に加えて、スピーカおよびプリンタなどの他の周辺出力デバイス（図示せず）を含んでよい。図５の例示的システムは、ホストアダプタ５５５、小型コンピュータシステムインターフェース（ＳＣＳＩ）バス５５６、およびＳＣＳＩバス５５６に接続された外部記憶デバイス５６２も含む。
【００２６】
コンピュータ５２０は、リモートコンピュータ５４９など１つまたは複数のリモートコンピュータへの論理的接続を用いてネットワーク化された環境で動作してよい。リモートコンピュータ５４９は、パーソナルコンピュータ、サーバ、ルータ、ネットワークＰＣ、ピアデバイスまたは他の共通のネットワークノードでよく、また、図５にはメモリ記憶デバイス５５０しか示されていないが、コンピュータ５２０に関連して上記で説明された要素の多くまたはすべてが含まれてよい。図５に示された論理的接続には、ローカルエリアネットワーク（ＬＡＮ）５５１および広域ネットワーク（ＷＡＮ）５５２が含まれる。このようなネットワーク環境は、オフィス、企業全体にわたるコンピュータネットワーク、イントラネット、およびインターネットにおいて普通のものである。
【００２７】
コンピュータ５２０は、ＬＡＮのネットワーク環境で使用されるとき、ネットワークインターフェースまたはアダプタ５５３を介してＬＡＮ  ５５１に接続される。コンピュータ５２０は、ＷＡＮネットワーク環境で使用されるとき、モデム５５４、またはインターネットなどの広域ネットワーク５５２にわたって連絡を確立するための他の手段を含んでよい。モデム５５４は、内部または外部にあってよく、シリアルポートインターフェース５４６を介してシステムバス５２３に接続される。ネットワーク化された環境では、コンピュータ５２０に関連して示されたプログラムモジュールまたはその一部分が、遠隔メモリ記憶デバイスに記憶されてよい。示されたネットワーク接続は例示であり、コンピュータ間に通信リンクを確立する他の手段が使用され得ることが理解されよう。
【００２８】
コンピュータ５２０は、さまざまなコンピュータ読取り可能記憶媒体を含んでよい。コンピュータ読取り可能記憶媒体は、コンピュータ５２０によってアクセスすることができる、揮発性および不揮発性の媒体の両方、取外し可能媒体および固定型媒体を含む任意の利用可能な媒体であり得る。一例として、限定ではなく、コンピュータ読取り可能媒体は、コンピュータ記憶媒体および通信媒体を備えてよい。コンピュータ記憶装置媒体は、コンピュータ読取り可能命令、データ構造、プログラムモジュール、または他のデータなどの情報を記憶するための任意の方法または技術で実施された、揮発性媒体および不揮発性媒体の両方、取外し可能媒体および固定型媒体を含む。コンピュータ記憶装置媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶デバイス、または所望の情報を記憶するのに使用することができてコンピュータ５２０によるアクセスが可能な任意の他の媒体を含むが、これらに限定されるわけではない。上記のもののうちの任意の組合せも、本明細書に説明された方法およびシステムを実施するためにソースコードを記憶するのに使用され得るコンピュータ読取り可能媒体の範囲内に含まれるべきである。本明細書に開示された特徴または要素の任意の組合せも、１つまたは複数の実施形態に用いられてよい。
【００２９】
本開示の主題の好ましい実施形態の説明において、図に示されるように、明瞭さのために特定の用語が用いられている。しかし、特許請求される主題は、このように選択された特定の用語に限定されるように意図されたものではなく、それぞれの特定の要素は、類似の目的を達成するために類似のやり方で動作する技術的等価物をすべて含むものと理解されたい。
【００３０】
この書かれた説明は、最善の様式を含めて本発明を開示するために、また、あらゆる当業者が、あらゆる装置またはシステムを製作して使用すること、ならびにあらゆる組み込まれた方法を実行することを含めて本発明を実施することも可能にするために、実例を用いている。本発明が特許権を受けられる範囲は、特許請求の範囲によって規定され、当業者に想起される他の実例を含み得る。そのような他の実例は、それらが特許請求の範囲の文字どおりの言葉と異ならない構造要素を有する場合、またはそれらが特許請求の範囲の文字どおりの言葉とのわずかな相違しかない同等な構造要素を含む場合には、特許請求の範囲に入るように意図されている。
【符号の説明】
【００３１】
１００  トランジションピース
１０５  トランジションピースの入口
１１０  トランジションピースの出口
２００  トランジションピース
３０５  断面積のグラフ上のポイント
３１０  断面積のグラフ上のポイント
３１１  断面積のグラフ上のポイント
３１５  断面積のグラフ上のポイント
３１６  断面積のグラフ上のポイント
４００  方法
４０５  方法４００のブロック
４１０  方法４００のブロック
４１５  方法４００のブロック
４２０  方法４００のブロック
５２０  コンピュータ
５２１  処理ユニット
５２２  システムメモリ
５２３  システムバス
５２４  ＲＯＭ
５２５  ＲＡＭ
５２６  ＢＩＯＳ
５２８  フロッピドライブ
５２９  記憶装置
５３０  オプティカルドライブ
５３１  記憶装置
５３２  ハードディスクドライブインターフェース
５３３  磁気ドライブインターフェース
５３４  オプティカルドライブインターフェース
５３５  オペレーティングシステム
５３６  アプリケーションプログラム
５３７  他のプログラム
５３８  プログラムデータ
５４０  キーボード
５４２  マウス
５４６  シリアルポートインターフェース
５４７  モニタ
５４８  ビデオアダプタ
５４９  リモートコンピュータ
５５０  メモリ
５５１  ローカルエリアネットワーク
５５２  広域ネットワーク
５５３  ネットワークインターフェース
５５４  モデム
５５５  ホストアダプタ
５５６  ＳＣＳＩバス
５６２  記憶デバイス
【図１】
2013221736.tif 000003
【図２】
2013221736.tif 000004
【図３】
2013221736.tif 000005
【図４】
2013221736.tif 000006
【図５】
2013221736.tif 000007